(57)【要約】【課題】簡単な構成で容易に操作信号の拡散範囲を調整する。【解決手段】電子機器を遠隔操作するための操作入力を行う操作入力部３と、この操作入力部３に入力された操作入力に基づく操作信号を赤外光源４２により電子機器に送信する信号送信部４と、この信号送信部４からの操作信号が外部に射出される射出口２３と、信号送信部４が所定方向Ａに沿って移動可能に収容され、射出口２３に対して信号送信部４を接離自在とするガイド溝２４とが形成された筐体２と、信号送信部４のガイド溝２４からの離脱を防止するストッパ機構２５と、ガイド溝２４における信号送信部４の位置決めを行う位置決め機構と、ガイド溝２４を開閉自在とする蓋部２６を備え、位置決め機構は、信号送信部４に設けられた凸部４７と、蓋部２６に所定方向Ａに沿って複数形成され、ガイド溝２４を閉じた際に凸部４７に嵌合する凹部２６ａと、を備える。【選択図】図１
2006303823.tif 000002
【特許請求の範囲】
【請求項１】
電子機器を遠隔操作するための操作入力を行う操作入力部と、
この操作入力部に入力された操作入力に基づく操作信号を赤外光源により前記電子機器に送信する信号送信部と、
この信号送信部からの操作信号が外部に射出される射出口と、前記信号送信部が所定方向に沿って移動可能に収容され、前記射出口に対して前記信号送信部を接離自在とするガイド溝とが形成された筐体と、
前記信号送信部の前記ガイド溝からの離脱を防止するストッパ機構と、
前記ガイド溝における前記信号送信部の位置決めを行う位置決め機構と、
前記ガイド溝を開閉自在とする蓋部を備え、
前記位置決め機構は、
前記信号送信部に設けられた凸部と、
前記蓋部に前記所定方向に沿って複数形成され、前記ガイド溝を閉じた際に前記凸部に嵌合する凹部と、
を備えることを特徴とするリモコン送信機。
【請求項２】
電子機器を遠隔操作するための操作入力を行う操作入力部と、
この操作入力部に入力された操作入力に基づく操作信号を赤外光源により前記電子機器に送信する信号送信部と、
この信号送信部からの操作信号が外部に射出される射出口と、前記信号送信部が所定方向に沿って移動可能に収容され、前記射出口に対して前記信号送信部を接離自在とするガイド溝とが形成された筐体と、
を備えることを特徴とするリモコン送信機。
【請求項３】
前記信号送信部の前記ガイド溝からの離脱を防止するストッパ機構を備えることを特徴とする請求項２に記載のリモコン送信機。
【請求項４】
前記ガイド溝における前記信号送信部の位置決めを行う位置決め機構を備えることを特徴とする請求項２又は３に記載のリモコン送信機。
【請求項５】
前記ガイド溝を開閉自在とする蓋部を備え、
前記位置決め機構は、
前記信号送信部に設けられた凸部と、
前記蓋部に前記所定方向に沿って複数形成され、前記ガイド溝を閉じた際に前記凸部に嵌合する凹部と、
を備えることを特徴とする請求項４に記載のリモコン送信機。
【請求項６】
前記位置決め機構は、
前記ガイド溝に前記所定方向に沿って形成された複数の係合凹部と、
前記信号送信部に設けられ、前記係合凹部と係合した際に前記信号送信部の前記所定方向への移動を規制し、前記ガイド溝における前記係合凹部以外の箇所と係合した際に弾性変形して前記信号送信部の所定方向への移動を可能とする弾性突起と、
を備えることを特徴とする請求項４に記載のリモコン送信機。
【発明の詳細な説明】
【技術分野】
【０００１】
本発明は、リモコン送信機に関する。
【背景技術】
【０００２】
従来、テレビ等の電子機器を遠隔操作するためにリモコン送信機が用いられる。ユーザにより、リモコン送信機から操作入力がなされるとその操作入力に基づく操作信号がリモコン送信機から送信され、電子機器に設けられた受信部により受信される。そして、受信部で受信した操作信号に基づいて電子機器の操作が行われる。
【０００３】
このようなリモコン送信機に関しては多くの提案がなされている。例えば、発光ダイオードの光ビームを用いて操作信号を送信するリモコン送信機において、光ビームの拡散範囲を変化させるための絞り機構を設けたものが提案されている（例えば、特許文献１参照。）。また、可視レーザ光線を用いて操作信号を送信するリモコン送信機において、レンズを移動させることにより可視レーザ光線の拡散領域を調整することができるものが提案されている（例えば、特許文献２参照。）。また、赤外線を用いて操作信号を送信するリモコン送信機において、リモコン送信機の赤外線放射面を囲むように赤外線を反射或いは吸収する筒状の指向性可変部材を設け、赤外線放射面から放射方向への長さを可変としたものが提案されている（例えば、特許文献３参照。）。また、屋内外を問わず赤外線を用いて操作信号を送信するリモコン送信機において、周囲の明るさに応じて赤外発光ダイオードの発光状態を調整可能にしたものが提案されている（例えば、特許文献４参照。）。また、単機能のリモコンと多機能のリモコンとを蓋部と本体部に分けて設け、これらを一つのリモコンにまとめて小型化を図ったものが提案されている（例えば、特許文献５参照。）。
【０００４】
ここで、特許文献１〜３にて提案されているリモコン送信機は、同じリモコン送信機で操作可能な電子機器が近くに複数設置されている場合に、各電子機器を同時に操作したいときには操作信号の拡散範囲を広げ、特定の電子機器だけを操作したいときには操作信号の拡散範囲を狭めることができるので使い勝手に優れている。
【特許文献１】実開昭６２−１４８３５号公報
【特許文献２】特開２００１−１７７８８４号公報
【特許文献３】実開昭６０−３０６５０号公報
【特許文献４】特開平３−１３１１３４号公報
【特許文献５】特開平６−２５７８３８号公報
【発明の開示】
【発明が解決しようとする課題】
【０００５】
しかし、特許文献１〜３のリモコン送信機においては、操作信号の拡散範囲の調整をレンズ、絞り、指向性可変部材といった光源と別個の部品を移動させて行っているが、小さいレンズを動かすのは構造的に複雑であったり、絞り機構や指向性可変部材を別途備えると部品数増加によるコストアップを招いていた。
【０００６】
また、特許文献４、５もこの課題を解決するには到っていない。
【０００７】
そこで、本発明は、上記課題を解決するためになされたものであり、より簡単な構成で容易に操作信号の拡散範囲を調整することができるリモコン送信機を提供することを目的とする。
【課題を解決するための手段】
【０００８】
以上の課題を解決するため、請求項１に記載の発明は、リモコン送信機において、電子機器を遠隔操作するための操作入力を行う操作入力部と、この操作入力部に入力された操
作入力に基づく操作信号を赤外光源により前記電子機器に送信する信号送信部と、この信号送信部からの操作信号が外部に射出される射出口と、前記信号送信部が所定方向に沿って移動可能に収容され、前記射出口に対して前記信号送信部を接離自在とするガイド溝とが形成された筐体と、前記信号送信部の前記ガイド溝からの離脱を防止するストッパ機構と、前記ガイド溝における前記信号送信部の位置決めを行う位置決め機構と、前記ガイド溝を開閉自在とする蓋部を備え、前記位置決め機構は、前記信号送信部に設けられた凸部と、前記蓋部に前記所定方向に沿って複数形成され、前記ガイド溝を閉じた際に前記凸部に嵌合する凹部と、を備えることを特徴とする。
【０００９】
請求項２に記載の発明は、リモコン送信機において、電子機器を遠隔操作するための操作入力を行う操作入力部と、この操作入力部に入力された操作入力に基づく操作信号を赤外光源により前記電子機器に送信する信号送信部と、この信号送信部からの操作信号が外部に射出される射出口と、前記信号送信部が所定方向に沿って移動可能に収容され、前記射出口に対して前記信号送信部を接離自在とするガイド溝とが形成された筐体と、を備えることを特徴とする。
【００１０】
請求項３に記載の発明は、請求項２に記載のリモコン送信機において、前記信号送信部の前記ガイド溝からの離脱を防止するストッパ機構を備えることを特徴とする。
【００１１】
請求項４に記載の発明は、請求項２又は３に記載のリモコン送信機において、前記ガイド溝における前記信号送信部の位置決めを行う位置決め機構を備えることを特徴とする。
【００１２】
請求項５に記載の発明は、請求項４に記載のリモコン送信機において、前記ガイド溝を開閉自在とする蓋部を備え、前記位置決め機構は、前記信号送信部に設けられた凸部と、前記蓋部に前記所定方向に沿って複数形成され、前記ガイド溝を閉じた際に前記凸部に嵌合する凹部と、を備えることを特徴とする。
【００１３】
請求項６に記載の発明は、請求項４に記載のリモコン送信機において、前記位置決め機構は、前記ガイド溝に前記所定方向に沿って形成された複数の係合凹部と、前記信号送信部に設けられ、前記係合凹部と係合した際に前記信号送信部の前記所定方向への移動を規制し、前記ガイド溝における前記係合凹部以外の箇所と係合した際に弾性変形して前記信号送信部の所定方向への移動を可能とする弾性突起と、を備えることを特徴とする。
【発明の効果】
【００１４】
請求項１に記載の発明によれば、操作入力部に電子機器を操作するための操作入力が行われると、信号送信部は、操作入力部に入力された操作入力に基づく操作信号を赤外光源により射出口から電子機器に送信する。ここで、信号送信部は、筐体に形成された射出口に対して信号送信部を接離自在とするガイド溝に設けられているため、信号送信部を射出口に近づけると操作信号の拡散を阻害するガイド溝の側壁の長さが短くなり、操作信号の拡散範囲が広がる。一方、信号送信部を射出口から遠ざけると操作信号の拡散を阻害するガイド溝の側壁の長さが長くなり、操作信号の拡散範囲が狭まる。
【００１５】
これにより、近くに同じ操作信号で操作可能な複数の電子機器がある場合において、各電子機器を同時に操作したい場合には信号送信部を射出口に近づけて位置決め機構により位置決めを行い、特定の電子機器を操作したい場合には信号送信部を射出口から遠ざけて位置決め機構により位置決めを行うことによって、レンズ等の部品を設けて操作信号の拡散範囲を調節する従来の構成に比べて簡単な構成で容易に操作信号の拡散範囲を調整できる。
【００１６】
また、信号送信部はストッパ機構によりガイド溝からの離脱が防止されているため、ユーザは信号送信部を移動させる際に筐体から外れてしまわないように注意する必要がなくなり、操作性を向上させることができる。
【００１７】
また、信号送信部は位置決め機構によりガイド溝内における位置決めを行うことができるので、ユーザは操作する際に常時信号送信部を保持する必要がなくなり、操作性を向上させることができる。さらに、位置決め機構は信号送信部に凸部を設け、蓋部に凹部を設けて凹部に凸部を嵌合させるだけでよいので、簡単な構造で信号送信部の位置決めを行うことができる。
【００１８】
請求項２に記載の発明によれば、操作入力部に電子機器を操作するための操作入力が行われると、信号送信部は操作入力部に入力された操作入力に基づく操作信号を赤外光源により射出口から電子機器に送信する。ここで、信号送信部は、筐体に形成された射出口に対して信号送信部を接離自在とするガイド溝に設けられているため、信号送信部を射出口に近づけると操作信号の拡散を阻害するガイド溝の側壁の長さが短くなり、操作信号の拡散範囲が広がる。一方、信号送信部を射出口から遠ざけると操作信号の拡散を阻害するガイド溝の側壁の長さが長くなり、操作信号の拡散範囲が狭まる。
【００１９】
これにより、近くに同じ操作信号で操作可能な複数の電子機器がある場合において、各電子機器を同時に操作したい場合には信号送信部を射出口に近づけて操作し、特定の電子機器を操作したい場合には信号送信部を射出口から遠ざけて操作することによって、従来のものに比べて簡単な構成で容易に操作信号の拡散範囲を調整できる。
【００２０】
請求項３に記載の発明によれば、信号送信部はストッパ機構によりガイド溝からの離脱が防止されているため、ユーザは信号送信部を移動させる際に筐体から外れてしまわないように注意する必要がなくなり、操作性を向上させることができる。
【００２１】
請求項４に記載の発明によれば、信号送信部は位置決め機構によりガイド溝内における位置決めを行うことができるので、ユーザは操作する際に常時信号送信部を保持する必要がなくなり、操作性を向上させることができる。
【００２２】
請求項５に記載の発明によれば、位置決め機構は信号送信部に凸部を設け、蓋部に凹部を設けて凹部に凸部を嵌合させるだけでよいので、簡単な構造で信号送信部の位置決めを行うことができる。
【００２３】
請求項６に記載の発明によれば、ガイド溝内における信号送信部の位置決めを行う際において、位置を決定するときは信号送信部の弾性突起をガイド溝の係合凹部に係合させる。このとき、弾性突起は所定方向への移動を規制され、ユーザが所定方向に移動させる力を加えない限り動くことはない。一方、信号送信部を移動させるときには、ユーザが所定方向に移動させる力を加えることにより、弾性突起が弾性変形して係合凹部から脱出し、所定方向への移動が可能となる。
【００２４】
これにより、ユーザは信号送信部をガイド溝に沿って移動させるだけで適宜位置決めされるので、簡単な構造で信号送信部の位置決めを行うことができる。また、ガイド溝に係合凹部を形成して弾性突起を係合させる構造であるため、別個に位置決めのための部品を設ける必要がなく部品数を減らすことができる。
【発明を実施するための最良の形態】
【００２５】
以下、図面を参照して、本発明に係るリモコン送信機の最良の形態について詳細に説明する。
〔実施形態１〕
＜リモコン送信機の構成＞
図１に示すように、リモコン送信機１は、テレビ等の電子機器を遠隔操作するために用いられ、基板５（図２参照）を保護する筐体２と、電子機器を遠隔操作するための操作入力を行う操作入力部３と、この操作入力部３に入力された操作入力に基づく操作信号を赤外光源としての赤外発光ダイオード４２（後述する）により電子機器の送信する信号送信
部４と、を備えている。
【００２６】
筐体２は、樹脂等により成形されており、その厚さ方向の中央付近で上下二つに分離可能となっている。すなわち、図２に示すように、リモコン送信機１は、上筐体２１と下筐体２２とで信号送信部４及び基板５を挟み込み、上筐体２１と下筐体２２をビスＢによりねじ止めすることにより構成されている。
【００２７】
上筐体２１には、その中央から後端にわたる上面に操作入力部３を外部に突出させるための複数の貫通孔が形成されている。
【００２８】
また、上筐体２１には、先端に信号送信部４からの操作信号が外部に射出される射出口２３が形成されている。この射出口２３は、ガイド溝２４（後述する）に連通するように形成されている。
【００２９】
また、上筐体２１には、信号送信部４が所定方向に沿って移動可能に収容され、射出口２３に対して信号送信部４を接離自在とするガイド溝２４が形成されている。
【００３０】
ここで、所定方向とは、図１におけるリモコン送信機１の長手方向（以下、Ａ方向という）をいう。
【００３１】
ガイド溝２４は、信号送信部４の高さとほぼ同じ深さを有するようにＡ方向に延びるように形成されており、その底部にはガイド溝２４の開口面よりも拡幅された拡幅部２４ａが形成されている。
【００３２】
また、ガイド溝２４の先端であって射出口２３の上方には、ストッパ機構としてのストッパ２５が設けられている。ストッパ２５は、上筐体２１と一体に形成され、信号送信部４がガイド溝２４内を移動して射出口２３からガイド溝２４の外へ離脱することを防止する。
【００３３】
また、上筐体２１には、ガイド溝２４のＡ方向に沿う側縁の一方にヒンジによりガイド溝２４の開口面を開閉自在とする蓋部２６が設けられている。蓋部２６は、ガイド溝２４の開口面より僅かに小さく形成されており、蓋部２６を閉じた際にガイド溝２４の開口面をほぼ全域にわたって遮蔽することができるようになっている。
【００３４】
また、蓋部２６には、Ａ方向に沿って複数の凹部２６ａが一定の間隔をおいて並んで形成されている。この凹部２６ａは、蓋部２６を閉じた際に信号送信部４に設けられた凸部４７（後述する）と嵌合するように形成されている。すなわち、この凹部２６ａと凸部４７とが、ガイド溝２４における信号送信部４の位置決めを行う位置決め機構として機能する。なお、蓋部２６に形成される凹部２６ａは、蓋部２６の表面から裏面に貫通された貫通孔であってもよい。
【００３５】
一方、下筐体２２には、上筐体２１と対向する面に基板５が設けられており、図３に示すように、この基板５の表面に形成されたパターン５１と信号送信部４に設けられた赤外発光ダイオード４２とが電気的に接続されるように構成されている。すなわち、赤外発光ダイオード４２の端子４２ｂ，４２ｃとともに本体部４１に取り付けられた信号送信部４の導通部４３ａ，４３ｂが基板５のパターン５１に接触した状態で設けられるようになっている。
【００３６】
操作入力部３は、操作ボタンから構成され、上筐体２１の貫通孔から突出するように設けられている。操作入力部３は、送信すべき信号毎に設けられており、ユーザに押下されることで、その操作入力部３固有の操作信号を送信することができるようになっている。
【００３７】
信号送信部４は、図３及び図４に示すように、樹脂等から成形された本体部４１と、この本体部４１に取り付けられた赤外発光ダイオード４２と、基板５と赤外発光ダイオード４２とを導通させる導通部４３と、を備えている。
【００３８】
本体部４１は、ガイド溝２４の底部における拡幅部分に移動可能に嵌合される本体底部４５と、この本体底部４５から本体底部４５の上面に対してほぼ直角に立設された二つの
本体立設部４６ａ，４６ｂとが一体成形されている。
【００３９】
本体底部４５は、ガイド溝２４の底部における拡幅部２４ａにＡ方向に沿って移動可能に嵌め込まれることにより、信号送信部４のガイド溝２４の開口面側への離脱を防止するストッパ機構として機能する。
【００４０】
二つの本体立設部４６ａ，４６ｂは、互いの外側（ガイド溝２４の側壁側）の側面間の距離がガイド溝２４の幅より僅かに小さくなるように設けられ、信号送信部４がガイド溝２４に沿ってスムーズに移動できるように構成されている。また、本体立設部４６ａ，４６ｂの上端面には、蓋部２６でガイド溝２４を閉じた際に蓋部２６に形成された凹部２６ａに嵌合する凸部４７が設けられている。
【００４１】
赤外発光ダイオード４２は、二つの本体立設部４６ａ，４６ｂの間に取り付けられており、その発光部４２ａが射出口２３に向けて配置されている。発光部４２ａには、二つの端子４２ｂ，４２ｃが接続されており、互いの端子４２ｂ，４２ｃが互いに背反するように折り曲げられている。一方の端子４２ｂは、本体底部４５の下面から側面にかけて設けられた導通部４３ａとともに導電性を有するビス４８ａにより本体底部４５に固着されている。他方の端子４２ｃは、本体底部４５の下面から側面にかけて設けられた導通部４３ｂとともに導電性を有するビス４８ｂにより本体底部４５に固着されている。これにより、基板５に形成されたパターン５１から導通部４３ａ，４３ｂを介して端子４２ｂ，４２ｃに電流が流れ、端子４２ｂ，４２ｃに電流が流れることにより発光部４２ａを発光させることができる。
【００４２】
図５に示すように、導通部４３ａ，４３ｂは、ともに本体立設部４６ａ，４６ｂの下方の延長線上で本体底部４５に固定されている。各導通部４３ａ，４３ｂは、ともに本体底部４５の下面から本体底部４５の側面にわたってＡ方向に延びる導電性の板材であり、その一端が本体底部４５の後端で本体底部４５に沿って折り曲げられて本体底部４５の側面で導電性を有するビス４８ａ，４８ｂにより、赤外発光ダイオード４２の端子４２ｂ，４２ｃを本体底部４５とで挟持した状態で本体底部４５に固定されている。
【００４３】
導通部４３ａ，４３ｂの他端は、本体底部４５の下面にくい込むように設けられており、導通部４３ａ，４３ｂの他端で基板５のパターン５１を傷つけないようになっている。また、導通部４３ａ，４３ｂは、本体底部４５の下面に位置する部分が本体底部４５から浮いた状態となっており、信号送信部４をガイド溝２４に収容する際に本体部４１を下方に押さえ付けることで基板５のパターン５１と導通部４３ａ，４３ｂの密着性を高め、接触不良を防止している。
＜リモコン送信機による機器の操作＞
次に、リモコン送信機１を用いた機器の操作について説明する。
【００４４】
図６に示すように、リモコン送信機１で操作可能な電子機器１０，１１，１２が三つある場合において、図６における中央の電子機器１１のみを操作したい場合には、信号送信部４を射出口２３から離れるように移動させる。このとき、赤外発光ダイオード４２から発光された操作信号は周囲に拡散しようとするが、赤外発光ダイオード４２の両側にはガイド溝２４の側壁が存在するため、操作信号の拡散が阻害される。そのため、操作信号はガイド溝２４のＡ方向の延長線上にしか送信されなくなるため、射出口２３を電子機器１１に向けていれば、電子機器１１だけを操作することができる。
【００４５】
一方、図７における全ての電子機器１０，１１，１２を操作したい場合には、信号送信部４を射出口２３に近接するように移動させる。ここで、信号送信部４を射出口２３に向けて移動させても射出口２３の位置でストッパ２５によりそれ以上の移動が規制されるため、信号送信部４がガイド溝２４から離脱することがない。このとき、赤外発光ダイオード４２から発光された操作信号は周囲に拡散しようとするが、赤外発光ダイオード４２の両側にはガイド溝２４の側壁は存在しないため、操作信号の拡散は阻害されない。そのため、操作信号は射出口２３から広角に送信されるため、全ての電子機器１０，１１，１２
を操作することができる。
＜実施形態１の作用効果＞
実施形態１のリモコン送信機１によれば、操作入力部３に電子機器１０，１１，１２を操作するための操作入力が行われると、信号送信部４は、操作入力部３に入力された操作入力に基づく操作信号を赤外発光ダイオード４２により射出口２３から電子機器１０，１１，１２に向けて送信する。ここで、信号送信部４は、筐体２に形成された射出口２３に対して信号送信部４を接離自在とするガイド溝２４に設けられているため、信号送信部４を射出口２３に近づけると操作信号の拡散を阻害するガイド溝２４の側壁の長さが短くなり、操作信号の拡散範囲が広がる。一方、信号送信部４を射出口２３から遠ざけると操作信号の拡散を阻害するガイド溝２４の側壁の長さが長くなり、操作信号の拡散範囲が狭まる。
【００４６】
これにより、近くに同じ操作信号で操作可能な複数の電子機器１０，１１，１２がある場合において、各電子機器１０，１１，１２を同時に操作したい場合には信号送信部４を射出口２３に近づけるとともに、蓋部２６を閉じて凹部２６ａと凸部４７を嵌合させることにより位置決めを行い、特定の電子機器１０，１１，１２を操作したい場合には信号送信部４を射出口２３から遠ざけて位置決めを行うとよい。よって、レンズ等の部品を設けて操作信号の拡散範囲を調節する従来の構成に比べて簡単な構成で容易に操作信号の拡散範囲を調整できる。
【００４７】
また、信号送信部４はストッパ２５によりガイド溝２４からの離脱が防止されているため、ユーザは信号送信部４を移動させる際に筐体２から外れてしまわないように注意する必要がなくなり、操作性を向上させることができる。
【００４８】
また、信号送信部４は、蓋部２６を閉じて凹部２６ａと凸部４７を嵌合させることによりガイド溝２４内における位置決めを行うことができるので、ユーザは操作する際に常時信号送信部４を保持する必要がなくなり、操作性を向上させることができる。さらに、信号送信部４に凸部４７を設け、蓋部２６に凹部２６ａを設けて凹部２６ａに凸部４７を嵌合させるだけで位置決めを行うことができるので、簡単な構造で信号送信部４の位置決めを行うことができる。
〔実施形態２〕
＜リモコン送信機の構成＞
次に、本発明に係るリモコン送信機の実施形態２について説明する。
【００４９】
なお、実施形態２が実施形態１と異なる点は、ガイド溝及び信号送信部の一部の構造であるため、実施形態１と同じ構成要素には同一符号を付して説明を省略する。
【００５０】
図８に示すように、リモコン送信機２０において、ガイド溝６１のうち、Ａ方向に沿った一方の側縁には、一定の間隔毎にガイド溝の幅方向（図８におけるＢ方向）に凹む複数の係合凹部６１ａが形成されている。この係合凹部６１ａは、半円状に形成されている。
【００５１】
図８及び図９に示すように、信号送信部７には、本体立設部４６ｂの上端近傍におけるガイド溝６１に対向する側面に弾性を有する弾性突起７１が設けられている。弾性突起７１は、板バネ等により構成され、Ｂ方向に沿って突出し、弾性変形可能となるように取り付けられている。
【００５２】
弾性突起７１は、ガイド溝６１に形成された係合凹部６１ａとほぼ同じ高さ位置に設けられており、位置決めされているときにはいずれかの係合凹部６１ａに弾性変形しない状態で係合している。すなわち、外部から弾性突起７１に対してその弾性力に抗する力が付与されて弾性変形しない限り、弾性突起７１は係合凹部６１ａ内に存在するため、信号送信部７のＡ方向への移動を規制し、信号送信部７をガイド溝６１内で固定させることができる。
【００５３】
一方、弾性突起７１は、ガイド溝６１における係合凹部６１ａ以外の箇所と係合した際には、弾性突起７１が納まるガイド溝６１の幅が狭まるので弾性変形した状態となり、弾性変形した状態で信号送信部７のＡ方向への移動が可能となる。
＜実施形態２の作用効果＞
実施形態２のリモコン送信機２０によれば、ガイド溝６１内における信号送信部７の位置決めを行う際において、位置を決定するときは信号送信部７の弾性突起７１をガイド溝６１の係合凹部６１ａに係合させる。このとき、弾性突起７１はＡ方向への移動を規制され、ユーザがＡ方向に移動させる力を加えない限り動くことはない。一方、信号送信部７を移動させるときには、ユーザがＡ方向に移動させる力を加えることにより、弾性突起７１が弾性変形して係合凹部６１ａから脱出し、Ａ方向への移動が可能となる。
【００５４】
これにより、ユーザは信号送信部７をガイド溝６１に沿って移動させるだけで適宜位置決めされるので、簡単な構造で信号送信部７の位置決めを行うことができる。また、ガイド溝６１に係合凹部６１ａを形成して弾性突起７１を係合させる構造であるため、別個に位置決めのための部品を設ける必要がなく部品数を減らすことができる。
【００５５】
なお、本発明は、上記実施形態に限定されるものではない。例えば、赤外発光ダイオード４２と導通部４３ａ，４３ｂとの接続構造は、上記の構造に限られるものではなく、例えば、図１０に示すように、導通部４３ｃ，４３ｄにおける本体部４１の底面から上方に向かって折り曲げる部分の幅を大きく形成し、赤外発光ダイオード４２の端子４２ｂ，４２ｃを折り曲げることなくビス４８ａ，４８ｂとともに接続するようにしてもよい。また、図１１に示すように、導通部４３ｅ，４３ｆにおける本体部４１の底面から上方に向かって折り曲げる部分の幅を大きく形成し、赤外発光ダイオード４２の端子４２ｂ，４２ｃを折り曲げることなく、さらにビス４８ａ，４８ｂの取り付け位置を変えることなく、端子４２ｂ，４２ｃと導通部４３ａ，４３ｂをハンダＨにより接続してもよい。
【００５６】
これらの構造を採用することにより、細くて比較的折れやすい赤外発光ダイオード４２の端子を折り曲げる必要がなくなり、信号送信部４の耐久性を向上させることができる。
【００５７】
また、実施形態１において、本体立設部４６ａ，４６ｂに凸部を設け、蓋部２６に凹部２６ａを形成したが、蓋部２６に凸部を設け、本体立設部４６ａ，４６ｂにこの凸部に嵌合する凹部を形成してもよい。また、信号送信部４がガイド溝２４に沿って移動可能で射出口２３に向けて発光されるように構成されていれば、本体部４１の形状、赤外発光ダイオード４２を設ける位置も自由に変更可能である。
【００５８】
また、実施形態２において、係合凹部６１ａをガイド溝６１のＡ方向に沿った両方の側縁に形成し、各側縁に係合する弾性突起７１を本体立設部４６ａ，４６ｂの上端近傍におけるガイド溝６１に対向する側面に設けても良い。これにより、ガイド溝６１内における信号送信部７の保持力を向上させることができる。
【図面の簡単な説明】
【００５９】
【図１】実施形態１におけるリモコン送信機の斜視図である。
【図２】リモコン送信機の分解側面図である。
【図３】信号送信部の基板への配置について説明する斜視図である。
【図４】信号送信部の斜視図である。
【図５】信号送信部の側面図である。
【図６】特定の電子機器だけを操作したい場合におけるリモコン送信機による電子機器の操作方法を説明する概略図である。
【図７】全ての電子機器を操作したい場合におけるリモコン送信機による電子機器の操作方法を説明する概略図である。
【図８】実施形態２におけるリモコン送信機の斜視図である。
【図９】信号送信部の斜視図である。
【図１０】信号送信部の他の例を示す図である。
【図１１】信号送信部の他の例を示す図である。
【符号の説明】
【００６０】
１  リモコン送信機
２  筐体
３  操作入力部
４  信号送信部
７  信号送信部
１０  電子機器
１１  電子機器
１２  電子機器
２０  リモコン送信機
２３  射出口
２４  ガイド溝
２５  ストッパ（ストッパ機構）
２６  蓋部
２６ａ  凹部（位置決め機構）
４２  赤外発光ダイオード（赤外光源）
４７  凸部（位置決め機構）
６１  ガイド溝
６１ａ  係合凹部
７１  弾性突起
【図１】
2006303823.tif 000003
【図２】
2006303823.tif 000004
【図３】
2006303823.tif 000005
【図４】
2006303823.tif 000006
【図５】
2006303823.tif 000007
【図６】
2006303823.tif 000008
【図７】
2006303823.tif 000009
【図８】
2006303823.tif 000010
【図９】
2006303823.tif 000011
【図１０】
2006303823.tif 000012
【図１１】
2006303823.tif 000013